(57)【要約】【課題】  書籍のページ間に挿入されるしおりにおいて、ページに簡単かつしっかりと固定でき、ページ間に挟んでも書籍の膨らみを最小限に抑えられるしおりを提供する。【解決手段】  樹脂材料を用いて、全体が約１ｍｍの薄板構造を成し、回転させながら差し込むだけでページを挟み、クリップ部の弾性力により、簡単かつしっかりと固定することを可能にするための折り返し形状のクリップ部を設けたしおりである。【選択図】  図１
2006110971.tif 000002
【特許請求の範囲】
【請求項１】
書籍のページ間に挿入されるしおりにおいて、硬質塩化ビニール等の樹脂材料を用いて、全体が約１ｍｍの薄板構造を成し、書籍のページの上端にクリップ溝を位置合わせし、回転させながら差し込むだけでページを挟み、クリップ部の弾性力により、簡単かつしっかりと固定することを可能にするための折り返し形状のクリップ部を設けたことを特徴とするしおり。
【請求項２】
クリップ部折り返し先の先端形状をＶ字形状にすることで、折り返し先の内側、外側を紙片がスムーズに通過できることを特徴とする請求項１記載のしおり。
【発明の詳細な説明】
【技術分野】
【０００１】  本発明は、簡単にページに固定することができるしおりに関する。
【背景技術】
【０００２】  書籍を読むことを中断し、後でその続きから読むために、中断したときのページを分かり易くするためのしおりには、例えば、紙片に穴を開けてひもを付けた、いわゆる、ページ間に挟むだけのタイプ、あるいは、背表紙上端部に取り付けたひもをページ間に挟むタイプ、また、ページを挟み、ページに固定するタイプ等がある。
【発明の開示】
【発明が解決しようとする課題】
【０００３】  紙片に穴を開けてひもを付けたタイプや、背表紙上端部に取り付けたひもをページ間に挟むタイプでは、書籍を落下させ、ページが開いてしまうと、しおりがページ間から外れてしまう恐れがある。【０００４】  また、ページを挟み、ページに固定するタイプでは、しっかりと固定できる構造にすれば、固定するときが面倒になり、固定し易くすればしおりの厚さが厚くなり、ページ間に挟んだときに書籍が非常に膨らんでしまう。【０００５】  本発明は、このような点を鑑みてなされたもので、ページに簡単かつしっかりと固定でき、ページ間に挟んでも書籍の膨らみを最小限に抑えられるしおりを提供することを課題とするものである。
【課題を解決するための手段】
【０００６】  上記課題を解決するために、本発明に係るしおりは、硬質塩化ビニール等の樹脂材料を用いて、全体が約１ｍｍの薄板構造を成し、書籍のページの上端にクリップ溝を位置合わせし、回転させながら差し込むだけでページを挟み、クリップ部の弾性力により、簡単かつしっかりと固定することを可能にするための折り返し形状のクリップ部を設けたものである。【０００７】  また、クリップ部折り返し先の先端形状をＶ字形状にすることで、折り返し先の内側、外側を紙片がスムーズに通過できるようにしたものである。
【発明の効果】
【０００８】  以上のように、本発明に係るしおりは、書籍のページの上端にクリップ溝を位置合わせし、回転させながら差し込むだけでページを挟み、クリップ部の弾性力により、簡単かつしっかりと固定することを可能にしたしおりを提供できる。【０００９】  そのため、書籍を落下させ、ページが開いても、しおりがページ間から外れてしまうことがなくなる。【００１０】  また、全体が約１ｍｍの薄板構造のため、ページ間に挟んでも、書籍の膨らみは最小限に抑えられる。
【発明を実施するための最良の形態】
【００１１】  以下、本発明の実施形態について図面に従って説明する。【００１２】  本実施形態のしおりは、図１に示すように、カードサイズの約８５ｍｍ×５４ｍｍの大きさで、全体の厚さは約１ｍｍである。図１には、製作上の簡便さを考慮して、３層構造のものを示してある。一体成型による製造も可能であり、どちらの場合も、本発明を実施する形態を満足するものである。【００１３】  五つの部品、主板１、小スペーサ２、大スペーサ３、クリップ板４、ポケット板５から成り、主板１に小スペーサ２と大スペーサ３を、小スペーサ２にクリップ板４を、大スペーサ３にポケット板５をそれぞれ接合することにより構成される。ポケット板５には、長穴形状のスライド孔６が設けてある。【００１４】  上記の五つの部品は、劣化を抑制し、より永く使用できるために、硬めの材質、例えば、硬質塩化ビニール等の樹脂材料を用いる。また、必要に応じて、一部あるいは全部を透明な材質を用いることとする。【００１５】  図２に、正面図（ａ）と断面図（ｂ）および拡大図（ｃ）を示す。クリップ部７とポケット部８とに分けられ、クリップ部７は、主板１と小スペーサ２とクリップ板４で構成される。主板１とクリップ板４との間には、小スペーサ２と同じ厚さのクリップ隙間９が設けられる。また、クリップ板４は、図に示すように、Ｖ字形状を成している。【００１６】  ポケット部８は、主板１と大スペーサ３とポケット板５で構成される。主板１とポケット板５との間には、大スペーサ３と同じ厚さのポケット１０が設けられる。ポケット板５には、ポケット１０に挿入したものをスライドして取り出し易くするためのスライド孔６が形成されている。【００１７】  クリップ板４とポケット板５は、クリップ溝１１が形成されるように、約２ｍｍの間隔をあけて配置される。【００１８】  主板１と小スペーサ２とクリップ板４を合わせたクリップ厚さ１２と主板１と大スペーサ３とポケット板５を合わせたポケット厚さ１３が同じになるようにすることで、クリップ段差１４が形成される。【００１９】  ポケット１０を設けないタイプを図３に示す。この場合、大スペーサ３とスライド孔６が無くなり、ポケット板５が大スペーサ３の厚さを加えた厚さになる。【００２０】  本実施形態におけるしおりは以上の構成からなり、次にそのしおりの使用方法について説明する。【００２１】  まず始めに、しおりを書籍に固定する方法について説明する。【００２２】  図４に示すように、書籍１５のしおりを挟むページを開き、書籍よりも上方の位置で、図のようにしおりを傾けた状態にし、上方からページ上端に向けてしおりを移動する。【００２３】  図５に示すように、クリップ溝１１にページ上端を挿入するように、ページ上端に位置合わせする。このとき、クリップ溝１１の幅に相当する数ページがクリップ溝１１に挿入された状態になる。図２で示したように、クリップ板４がＶ字形状を成しているため、数ページがスムーズに挿入される。Ｖ字形状ではなく、直線形状の場合は、クリップ板４の幅の中で挿入されるページ数に違いが出て、クリップ板４がページ上端に引っ掛かってしまい、スムーズに挿入されなくなる。【００２４】  この状態から、紙面に向かって反時計回りに回転させながら下方に差し込む。【００２５】  図６に示すように、図５の段階でクリップ溝１１に挿入された数ページが、クリップ隙間９の奥まで挿入され、主板１とクリップ板４とで挟まれた状態になる。この時点で、クリップ板４は主板１から離れる方向に弾性変形し、挟まれた数ページは図２で示したクリップ段差１４があるためにＳ字に湾曲され、変形した両者が戻ろうとする弾性力により、ページにしおりが固定される。【００２６】  しおりを書籍１５のページに固定し、ページ間に挟んだ状態の外観図を図７に示す。【００２７】  なお、しおりを固定するページが開いたページの反対側の場合は、しおりの向き、傾けた角度、回転する方向が逆になる。【００２８】  次に、ポケット部８の使用方法について説明する。【００２９】  ポケット１０に写真やメモ等を挿入するときは、図８に示すように、挿入片１６をポケット１０に差し込み、クリップ板４を内側に変形させながら挿入する。【００３０】  挿入片１６をポケット１０から取り出すときは、図９に示すように、指でクリップ板４を内側に変形させた状態で、スライド孔６から別の指で挿入片１６を取り出す方向にスライドすると、図２で示したクリップ板４のＶ字形状の先端部を挿入片１６が乗り越える。後は、挿入片１６のポケット１０から外に出た部分を摘んで引き出す。クリップ板４がＶ字形状を成しているため、挿入片１６をスムーズに取り出すことができる。Ｖ字形状ではなく、直線形状の場合は、挿入片１６がクリップ板４に引っ掛かってしまい、挿入片１６を取り出せなくなる。【００３１】  次に平面部に印刷する場合について説明する。【００３２】  印刷可能な平面部は図１０に示す表面１７、裏面１８、クリップ面１９の３面である。また、その他の面も可能である。【００３３】  これらの３面に印刷するものは、使用者にとって興味深い内容ということになる。その数例を下記に示す。
・書籍の表紙のデザインと同じものや書籍の内容を表したもの
・会社やブランドのロゴマーク
・人気キャラクターや有名人の写真
・しおりの所有者を示す内容（氏名・住所・電話番号・メールアドレス・本人の写真等）
上記に限らず、その他使用者にとって興味深い内容が印刷可能である。
【図面の簡単な説明】
【００３４】
【図１】  本発明の実施形態を示すしおりの斜視図
【図２】  本発明の実施形態を示すしおりの平面図（ａ）は正面図、（ｂ）はＡ−Ａ断面図、（ｃ）はＢ部拡大図
【図３】  ポケットを設けないタイプの斜視図
【図４】  しおりの使用方法を表した第１段階の図
【図５】  しおりの使用方法を表した第２段階の図
【図６】  しおりの使用方法を表した第３段階の図
【図７】  しおりの使用方法を表した第４段階の図
【図８】  ポケットに挿入片を挿入する方法を表した図
【図９】  ポケットから挿入片を取り出す方法を表した図
【図１０】  印刷可能面を表したしおり本体表裏平面説明図
【符号の説明】
【００３５】  １…主板                  ，        ２…小スペーサ
３…大スペーサ            ，        ４…クリップ板
５…ポケット板            ，        ６…スライド孔
７…クリップ部            ，        ８…ポケット部
９…クリップ隙間          ，      １０…ポケット
１１…クリップ溝            ，      １２…クリップ厚さ
１３…ポケット厚さ          ，      １４…クリップ段差
１５…書籍                  ，      １６…挿入片
１７…表面                  ，      １８…裏面
１９…クリップ面
【図１】
2006110971.tif 000003
【図２】
2006110971.tif 000004
【図３】
2006110971.tif 000005
【図４】
2006110971.tif 000006
【図５】
2006110971.tif 000007
【図６】
2006110971.tif 000008
【図７】
2006110971.tif 000009
【図８】
2006110971.tif 000010
【図９】
2006110971.tif 000011
【図１０】
2006110971.tif 000012